(57)【要約】【課題】  密封性に優れ、力の弱い老人や子供にも開栓が容易であり、しかも１回の動作で確実に開栓することができる牛乳壜用樹脂キャップを提供する。【課題手段】  牛乳壜の口部内面に嵌合される環状シール部４と、口部外周面に嵌合されるスカート壁５とを備え、このスカート壁５の下部内周面に牛乳壜の口部外周面の段部１と係合する周方向の係合突条６を設け、スカート壁５の外周に開栓用のタブ７を設けた牛乳壜用樹脂キャップ。本発明は、スカート壁５をタブ側の１８０°領域と反タブ側の１８０°領域とにほぼ二分する両側位置に、タブ７の引き上げにより破断される弱化部１０を設けたことを特徴とするものである。タブ７から見て最も幅が広くなる左右９０°の位置においてスカート壁５を破断し、キャップを壜口部から外すことができる。【選択図】    図１
2005225521.tif 000002
【特許請求の範囲】
【請求項１】
牛乳壜の口部内面に嵌合される環状シール部と、口部外周面に嵌合されるスカート壁とを備え、このスカート壁の下部内周面に牛乳壜の口部外周面の段部と係合する周方向の係合突条を設け、またスカート壁の一部に開栓用のタブを設けた牛乳壜用樹脂キャップであって、スカート壁をタブ側の１８０°領域と反タブ側の１８０°領域とにほぼ二分する両側位置に、タブの引き上げにより破断される弱化部を設けたことを特徴とする牛乳壜用樹脂キャップ。
【請求項２】
弱化部が、スカート壁の内面と外面に相対向させて形成した断面Ｖ字状のノッチと、断面台形状のノッチとにより構成されたものであることを特徴とする請求項１記載の牛乳壜用樹脂キャップ。
【発明の詳細な説明】
【技術分野】
【０００１】
本発明は、ガラス製の牛乳壜の口部を封鎖するために用いられる牛乳壜用樹脂キャップに関するものである。
【背景技術】
【０００２】
牛乳壜の口部を封鎖するためのキャップとしては古くから紙栓が用いられてきたが、近年においてはより密封性に優れた樹脂キャップが用いられている。このような牛乳壜用樹脂キャップは、牛乳壜の口部内面に嵌合される環状シール部と、口部外周面に嵌合されるスカート壁とを備え、このスカート壁の下部内周面に牛乳壜の口部外周面の段部と係合する周方向の係合突条を設けたものである。スカート壁の一部には開栓用のタブが突設されており、このタブを指先で摘んで引き上げることにより、開栓が行われるようになっている。
【０００３】
このような牛乳壜用樹脂キャップの密封性を高めるためには、キャップの環状シール部とスカート壁とを牛乳壜の口部に強固に嵌合させる必要がある。しかし嵌合を強固にすると開栓時には壜口部からキャップを引き離しにくくなるため、力の弱い老人や子供には開栓が困難となる。そこで特許文献１や特許文献２に示すように、タブの両側のスカート壁に２個の弱化部を設け、タブを引き上げたときに先ずこれらの弱化部が切断されて開栓を容易化するようにした牛乳壜用樹脂キャップが提案されている。
【０００４】
ところがこのような従来の牛乳壜用樹脂キャップは、タブを引き上げたときに図１０に示すように両側の弱化部に挟まれた部分だけが伸び拡がり、それ以外の部分は壜口部に係合したままの状態となる。タブを摘んでキャップを壜口部から外すためには、タブから見て最も幅が広くなる左右９０°の位置においてキャップを壜口部から外す必要があるため、図１０の状態では未だキャップは外れず、更にタブを上方に引き上げねばならない。しかし図１０の状態で既に一部が開栓しているため、このような２段モーションの開栓を行う際には牛乳壜をしっかりと保持していないと、中味がこぼれるおそれがある。
【特許文献１】特開平１１−１４７５５０号公報
【特許文献２】特開平１１−１８８７５２号公報
【発明の開示】
【発明が解決しようとする課題】
【０００５】
本発明は上記した従来の問題点を解決して、密封性に優れ、力の弱い老人や子供にも開栓が容易であり、しかも１回の動作で確実に開栓することができる牛乳壜用樹脂キャップを提供するためになされたものである。
【課題を解決するための手段】
【０００６】
上記の課題を解決するためになされた本発明は、牛乳壜の口部内面に嵌合される環状シール部と、口部外周面に嵌合されるスカート壁とを備え、このスカート壁の下部内周面に牛乳壜の口部外周面の段部と係合する周方向の係合突条を設け、またスカート壁の一部に開栓用のタブを設けた牛乳壜用樹脂キャップであって、スカート壁をタブ側の１８０°領域と反タブ側の１８０°領域とにほぼ二分する両側位置に、タブの引き上げにより破断される弱化部を設けたことを特徴とするものである。なおこれらの弱化部が、スカート壁の内面と外面に相対向させて形成した断面Ｖ字状のノッチと断面台形状のノッチとにより構成されたものであることが好ましい。
【発明の効果】
【０００７】
本発明の牛乳壜用樹脂キャップは、従来と同様に牛乳壜の口部内面に嵌合される環状シール部と、口部外周面に嵌合されるスカート壁とを備え、このスカート壁の下部内周面に牛乳壜の口部外周面の段部と係合する周方向の係合突条を設けたものであるから、優れた密封性を有するものである。またスカート壁をタブ側の１８０°領域と反タブ側の１８０°領域とに二分する両側位置に、タブの引き上げにより破断される弱化部を設けたものであるから、タブを摘んで引き上げるだけで１回の動作で容易に開栓することができる利点がある。
【発明を実施するための最良の形態】
【０００８】
図１は本発明の実施形態を示す平面図、図２はその底面図、図３はタブ部分の拡大断面図、図４は牛乳壜口部に打栓された状態を示す断面図である。本発明の牛乳壜用樹脂キャップは、図４に示されるように口部外周面に段部１を備えたガラス製の牛乳壜の口部２を密封するためのものである。その材質は軟質の合成樹脂であり、一般的には低密度ポリエチレン（ＬＤＰＥ）が用いられ、全体が射出成形により一体に成形されている。
【０００９】
本発明の牛乳壜用樹脂キャップは従来と同様に、天板３と、その中央部下面に突設された環状シール部４と、天板３の外周部から垂下する環状のスカート壁５とからなるものである。図４に示されるように、環状シール部４は牛乳壜の口部内面に嵌合され密封性を高めるための部分であり、スカート壁５は牛乳壜の口部外周面に嵌合される部分である。このスカート壁５の下部内周面には、牛乳壜の口部外周面の段部１と係合する周方向の係合突条６が設けられており、打栓後はスカート壁５を外側に広げなければ、係合突条６が段部１から外れないようになっている。なお以下に説明する弱化部１０の部分には、係合突条６は設けられていない。
【００１０】
スカート壁５の下端部外周の一部には、開栓用のタブ７が設けられている。このタブ７は指先で摘んで引き上げることにより開栓するためのもので、この実施形態ではスカート壁５との間に４つの三角リブ８を設けてある。タブ７は連続したものであってよいが、この実施形態のように中央部に切り込み９を設けてもよい。
【００１１】
図１、図２に示すように、スカート壁５にはタブ７の引き上げにより破断される２つの弱化部１０が設けられている。本発明では、スカート壁５をタブ側の１８０°領域と反タブ側の１８０°領域とにほぼ二分する位置に、それぞれ弱化部１０が設けられている。これらの弱化部１０は、スカート壁をタブ側の１８０°領域と反タブ側の１８０°領域とにほぼ二分する両側位置、すなわちタブ７の中心から左右９０°±１０°の位置に設けられる。しかしこれらの弱化部１０は、タブ７の中心から左右９０°±５°の位置に設けることがより好ましく、正確に左右９０°の位置に設けることが最も好ましい。このような位置にそれぞれ弱化部１０を設けておけば、タブ７を持ち上げたときにタブ７から見て左右に最も離れた点でスカート壁５を破断して壜口部から分離できるので、図５に示すように１回の動作で確実に開栓することができる。
【００１２】
図６、図７に示すように、この実施形態では弱化部１０は断面Ｖ字状のノッチ１１と断面台形状のノッチ１２とにより構成され、スカート壁５の内外両面から相対向させて設けられている。Ｖ字状のノッチ１１は６０〜１２０°の開き角度を与えることが好ましく、この実施形態では９０°である。一方、台形状のノッチ１２は底面の周方向幅を１〜１.５ｍｍ程度としておくことが好ましい。このように一方のノッチ１２を幅広としておくことにより、内面成形用金型と外面成形用金型との間の僅かなずれを吸収することが可能となる。この実施形態ではスカート壁５の内面にＶ字状のノッチ１１を設け、外面に台形状のノッチ１２を設けたが、内外は逆にしても差し支えない。
【００１３】
弱化部１０の肉厚、すなわちＶ字状のノッチ１１の先端と台形状のノッチ１２との間の半径方向の距離は、０.１〜０.３ｍｍとすることが好ましい。弱化部１０の肉厚が０.１ｍｍ未満では強度が不足して打栓時に破断されるおそれがある。逆に０.３ｍｍを越えると強度が大きくなり過ぎ、開栓時に確実に破断されにくくなる。材質を軟質ポリエチレンとしたこの実施形態では、０.２ｍｍに設定されている。なお弱化部１０の縦方向の長さ（ノッチ１１の長さ）は、スカート壁５の下端から１．０〜６．０ｍｍとすることが好ましい。これよりも短いと開栓時に力を要することとなり、これより長いとスカート壁５の強度及び密封性が損なわれるからである。
【００１４】
このように弱化部１０が打栓時に確実に破断されるようにするためには、その肉厚を薄くする必要がある。この場合、図８Aに示すようにスカート壁５の外面側だけに深いノッチを形成する設計、図８Bに示すようにスカート壁５の内面側だけに深いノッチを形成する設計、図８Cに示すように内外両面側にノッチを形成する設計の３通りが想定される。しかし、図８Aと図８Bの設計は好ましくない。
【００１５】
その理由を説明するために先ず図９に金型構造を示す。牛乳壜用樹脂キャップは、図９Aに示すようにキャビティ型２１とコア型２２とストリッパ型２３とにより成形される。そして離型時には図９Bに示すように成形品からキャビティ型２１が上方に離れ、成形品はコア型２２に保持された状態となる。次にストリッパ型２３が成形品の下端面を押し上げて成形品をコア型２２から分離する。
【００１６】
このような方法で離型されるため、キャビティ型２１により成形される外面側のノッチは成形品の上端まで垂直に設ける必要がある。従って、スカート壁５の外面側だけに深いノッチを形成する場合には図８Aのように上端まで肉薄となるが、このような構造のキャップは弱化部１０が形成された部分でスカート壁５の強度がなくなり、実用性がない。
【００１７】
またスカート壁５の内面側だけに深いノッチを形成する場合には、図８Bのようにストリッパ型２３の内径を大きくしなければならず、ストリッパ型２３は非常に肉薄の成形品の下端面を押し上げることとなるから、離型がうまく行えなくなる。しかし図８Cのように内外両側からノッチを設けることにより、スカート壁５の上方部分の強度を保ちながら、ストリッパ型２３による離型もうまく行えるようになる。以上の理由により、打栓時に切断される弱化部１０は、スカート壁５の内面側及び外面側に相対向させて形成したノッチ１１、１２により形成されたものとすることが好ましい。
【００１８】
このように構成された本発明の牛乳壜用樹脂キャップは、スカート壁５をタブ側の１８０°領域と反タブ側の１８０°領域とに二分する両側位置に、タブ７の引き上げにより破断される弱化部１０を設けたので、タブ７を摘んで引き上げる１回の動作で容易に開栓することができ、従来のような２段モーションを必要としない。しかも従来と同様に牛乳壜の口部内面に嵌合される環状シール部４と、口部外周面に嵌合されるスカート壁５とを備え、このスカート壁５の下部内周面に牛乳壜の口部外周面の段部と係合する周方向の係合突条６を設けたものであるから、開栓前には優れた密封性を有するものである。
【図面の簡単な説明】
【００１９】
【図１】本発明の実施形態を示す平面図である。
【図２】本発明の実施形態を示す底面図である。
【図３】タブ部分の拡大縦断面図である。
【図４】牛乳壜口部との嵌合状態を示す弱化部以外の部分の断面図である。
【図５】本発明のキャップの開栓状態を示す斜視図である。
【図６】弱化部の拡大水平断面図である。
【図７】弱化部の断面図である。
【図８】肉薄の弱化部の設計案を示す断面図である。
【図９】金型構造及び離型状態を説明する断面図である。
【図１０】従来キャップの開栓状態を示す斜視図である。
【符号の説明】
【００２０】
１  段部
２  牛乳壜の口部
３  天板
４  環状シール部
５  スカート壁
６  係合突条
７  タブ
８  三角リブ
９  切り込み
１０  弱化部
１１  Ｖ字状のノッチ
１２  台形状のノッチ
２１  キャビティ型
２２  コア型
２３  ストリッパ型
【図１】
2005225521.tif 000003
【図２】
2005225521.tif 000004
【図３】
2005225521.tif 000005
【図４】
2005225521.tif 000006
【図５】
2005225521.tif 000007
【図６】
2005225521.tif 000008
【図７】
2005225521.tif 000009
【図８】
2005225521.tif 000010
【図９】
2005225521.tif 000011
【図１０】
2005225521.tif 000012